(57)【要約】    【課題】ホスト・システムへの簡易な取り付け構造で、さらに騒音の少ない回転円板型記憶装置を提供する。    【解決手段】磁気ディスク１と、磁気ディスク１からデータの読み取りを行なうヘッド３３を備えたヘッド・サスペンション・アセンブリ３１を駆動するボイス・コイル・モータ８と、磁気ディスク１を回転可能に支持すると共にヘッド・サスペンション・アセンブリ３１及びボイス・コイル・モータ８が収納されるベース５と、ベース５に固定する固定領域７ａ、７ｂを備え、固定領域７ａ、７ｂとベース５とを両面接着テープ９を介して接合したフレーム７とを有するものである。【選択図】      図１
2005228407.tif 000002
【特許請求の範囲】
【請求項１】
回転円板形記録媒体と、
前記回転円板形記録媒体からデータの読み取りを行なうヘッドを備えたヘッド・サスペンション・アセンブリを駆動するボイス・コイル・モータと、
前記回転円板形記録媒体、前記ヘッド・サスペンション・アセンブリ及び前記ボイス・コイル・モータを収納するベースと、
前記ベースに固定する固定領域を備え、前記固定領域と前記ベースとを振動減衰材を介して接合したフレームとを有する回転円板形記憶装置。
【請求項２】
前記振動減衰材は、両面接着テープである請求項１記載の回転円板形記憶装置。
【請求項３】
前記振動減衰材は、接着剤により前記ベース及び前記フレームに接合されたゴムである請求項１記載の回転円板形記憶装置。
【請求項４】
前記振動減衰材は、接着剤により前記ベース及び前記フレームに接合された高分子材料である請求項１記載の回転円板形記憶装置。
【請求項５】
前記フレームは、前記ベースに嵌合して位置決めする板ばね構造のアームを備えた請求項１記載の回転円板形記憶装置。
【請求項６】
前記フレームは、前記ボイス・コイル・モータが前記ヘッド・サスペンション・アセンブリと一体になって回動するボイス・コイルを含み、前記ボイス・コイルが回動する範囲を投影した領域を含む鋼板で形成したヨーク領域を備えた請求項１記載の回転円板形記憶装置。
【請求項７】
前記フレームは、ホスト・システムへの取付構造を有する請求項１記載の回転円板形記憶装置。
【請求項８】
回転円板形記録媒体と、
前記回転円板形記録媒体からデータの読み取りを行なうヘッドを備えたヘッド・サスペンション・アセンブリと、
前記ヘッド・サスペンション・アセンブリと一体となって回動するボイス・コイルを含み、前記ヘッド・サスペンション・アセンブリを駆動するボイス・コイル・モータと、
磁性体で構成され、前記回転円板記録媒体、前記ヘッド・サスペンション・アセンブリ及び前記ボイス・コイル・モータを収納するベースと、
前記ボイス・コイルが回動する範囲を投影した領域を含む磁性体で形成したヨーク領域を備え、固定手段によって前記ベースに固定されたフレームとを有する回転円板形記憶装置。
【請求項９】
前記ヨーク領域と前記ベースとは直接接触する請求項８記載の回転円板形記憶装置。
【請求項１０】
前記ベースと前記フレームとは両面接着テープで接合された請求項８記載の回転円板形記憶装置。
【請求項１１】
前記フレームは、ホスト・システムへの取付構造を有する請求項８記載の回転円板形記憶装置。
【請求項１２】
回転円板形記録媒体と、ヘッド・サスペンション・アセンブリと、ボイス・コイル・モータとを含む構成機器を収納するベースとカバーで密閉したヘッド・ディスク・アセンブリと、
前記ヘッド・ディスク・アセンブリと電気的に接続した回路基板と、
前記ベースに前記ヘッド・ディスク・アセンブリを固定するフレームと、
前記ヘッド・ディスク・アセンブリの密閉状態を維持しながら前記ベースと前記フレームとを固定する第１の固定手段とを有する回転円板形記憶装置。
【請求項１３】
前記フレームがホスト・システムへ固定する第２の固定手段を有する請求項１２記載の回転円板形記憶装置。
【請求項１４】
前記第１の固定手段は、爪による引っ掛け構造である請求項１２記載の回転円板形記憶装置。
【請求項１５】
前記第１の固定手段は、凹凸による嵌合構造である請求項１２記載の回転円板形記憶装置。
【請求項１６】
前記第１の固定手段は、たが締め構造である請求項１２記載の回転円板形記憶装置。
【請求項１７】
前記第１の固定手段は、かしめ構造である請求項１２記載の回転円板形記憶装置。
【請求項１８】
前記第１の固定手段は、溶接構造である請求項１２記載の回転円板形記憶装置。
【請求項１９】
前記第１の固定手段は、両面接着テープである請求項１２記載の回転円板形記憶装置。
【請求項２０】
前記ボイス・コイル・モータの投影面に対応する位置にヨーク領域を備える請求項１２記載の回転円板形記憶装置。
【請求項２１】
前記フレームは、前記ベースを当該フレーム内に収容する形状から構成されている請求項１２記載の回転円板形記憶装置。
【発明の詳細な説明】
【技術分野】
【０００１】
本発明は磁気ディスク装置、光磁気ディスク装置等の回転円板形記憶装置におけるホスト・システムへの取り付け構造に関し、さらに詳細には、プレス加工で形成したベースを有する回転円板形記憶装置のホスト・システムへの取り付け構造に関する。
【背景技術】
【０００２】
磁気ディスク装置は主にヘッド・ディスク・アセンブリ（以後、明細書中においてＨＤＡという。）で構成され、このＨＤＡは、磁気ディスク、アクチュエータ・ヘッド・サスペンション・アセンブリ、スピンドル・モータ及び電子部品等を清浄な空気環境に収納するために、これらを収納するベースと、そのベースの開口部を覆うカバーとを使用して密封させる構成になっている。したがって、磁気ディスク装置の組み立てはクリーン・ルームで行なわれている。この磁気ディスク装置のアクチュエータ・ヘッド・サスペンション・アセンブリは、回転する磁気ディスクに対してデータの読み書きを行なうヘッドを支持し、所定の位置に位置付けるアクチュエータが採用されている。このアクチュエータの駆動機構は、コイルとマグネットとヨークとで構成されるボイス・コイル・モータ（以後、明細書中においてＶＣＭという。）である。
【０００３】
このような磁気ディスク装置は、携帯機器へ一層普及させていく等の理由でコスト低減が強く望まれており、また、薄型化も望まれている。コスト低減については、磁気ディスク等を収納するベースの加工方法を、アルミニウム・ダイカストを成形する鋳造法に替えて、金属の板材をプレス加工で成形する手法が提案されている（例えば、特許文献１、特許文献２参照。）。また、薄型化については、ＶＣＭのヨークとしてベースを利用することが提案されている（例えば、特許文献３、特許文献４、特許文献５、特許文献６、特許文献７、特許文献８参照。）。
【０００４】
【特許文献１】特開平９−１２０６６９号公報
【特許文献２】特開平１−２４８３８６号公報
【特許文献３】特開平４−３４５９７４号公報
【特許文献４】特開平６−２３６６６０号公報
【特許文献５】特開２００１−３２５７７７号公報
【特許文献６】特開平５−４１０４４号公報
【特許文献７】特開平１１−１０２５８０号公報
【特許文献８】米国特許第６０３４８４１号明細書
【発明の開示】
【発明が解決しようとする課題】
【０００５】
背景技術において示した特許文献１や特許文献２では、金属の板材で形成したベースにフレームを取り付ける技術を開示しているが、これを磁気ディスク装置に適用しようとするといくつかの問題がある。上述のとおり磁気ディスク装置はベースとカバーで密閉したＨＤＡをクリーン・ルーム内で組み立てる。従って、ＨＤＡをクリーン・ルームの外に搬出する時点では、ベースやカバーにネジ結合のための貫通孔を放置しておくことはできない。そのため、フレームをネジ結合でベースに固定する方法を採用する場合には、フレームをクリーン・ルームの中でベースに固定して結合部をシールする方法が考えられる。
【０００６】
クリーン・ルームの中に搬入する磁気ディスクの材料は、あらかじめ超純水で洗浄し粉塵の付着のない清浄な状態にしておく必要がある。また、その材料がクリーン・ルームの中で新たな粉塵を発生するようなことがあってはならない。従って、フレームをクリーン・ルームの中でベースに設けた貫通孔を利用して結合するには、クリーン・ルームの中に搬入できる材料としての要件を満たす必要がある。フレームは一般にコスト低減等の目的で亜鉛メッキ鋼板をプレス加工して形成するが、端部を切りっぱなしにしておくと切り屑や錆が放散する恐れがあり、クリーン・ルームの中に搬入することは難しい。従って、プレス加工した後にメッキするなどの端部の処理が必要になりコストが増大する。
【０００７】
また、ベースに設けたネジ結合のための貫通孔部分に、端部を閉塞したナットを溶接しておく方法もあるが、工程の増加をもたらし、かつ、溶接部の処理が必要になる。さらに、ベースとカバーの接合部にフランジを設け、フランジにフレームやホスト・システムに固定するためのネジ穴を形成する方法も考えられるが、フランジの部分だけ外形が大きくなって２．５型（２．５インチ（約５．０８ｃｍ）タイプ）又は３．５型（３．５インチ（約８．８９ｃｍ））といったそれぞれの型式に応じた磁気ディスクのフォーム・ファクターを充足できなくなったり、プレス加工が複雑になったりする。さらに、フレームは磁気ディスク装置の厚さ方向の寸法や重量を増大するので、ホスト・システムへ固定する機能以外の追加的な機能を付加することも必要となってきている。
【０００８】
そこで本発明の目的は、プレス加工で形成したベースを有する磁気ディスク装置、光磁気ディスク装置等の回転円板形記憶装置において、ホスト・システムへの簡易な取り付け構造を提供することにある。さらに本発明の目的は、装置の薄型化を図りフォーム・ファクターを増大させない回転円板形記憶装置を提供することにある。さらに本発明の目的は、騒音の少ない回転円板形記憶装置を提供することにある。
【課題を解決するための手段】
【０００９】
本発明の第１の態様では、回転円板形記録媒体と、回転円板形記録媒体からデータの読み取りを行なうヘッドを備えたヘッド・サスペンション・アセンブリを駆動するボイス・コイル・モータと、回転円板形記録媒体、ヘッド・サスペンション・アセンブリ及びボイス・コイル・モータを収納するベースと、ベースに固定する固定領域を備え、固定領域とベースとを振動減衰材を介して接合したフレームとを有する回転円板形記憶装置を提供する。
【００１０】
この第１の態様において、ベースとフレームとの間に振動減衰材を挟み込んだサンドイッチ構造のダンピング材として機能させることができるので、制振効果も得ることができる。この振動減衰材として両面接着テープを採用することができる。
【００１１】
本発明の第２の態様では、回転円板形記録媒体と、回転円板形記録媒体からデータの読み取りを行なうヘッドを備えたヘッド・サスペンション・アセンブリと、ヘッド・サスペンション・アセンブリと一体となって回動するボイス・コイルを含み、ヘッド・サスペンション・アセンブリを駆動するボイス・コイル・モータと、磁性体で構成され、回転円板記録媒体、ヘッド・サスペンション・アセンブリ及びボイス・コイル・モータを収納するベースと、ボイス・コイルが回動する範囲を投影した領域を含む磁性体で形成したヨーク領域を備え、固定手段によってベースに固定されたフレームとを有する回転円板形記憶装置を提供する。
【００１２】
この第２の態様において、ベースに固定するフレームにヨーク領域を備えているので、ＶＣＭに使用するヨーク構造から専用のヨークを取り去り、ヨーク構造の高さを低くし、薄型化を実現できると共にＶＣＭ自体の製造コストも下げることができる。なお、第１の態様においても実現できる。
【００１３】
本発明の第３の態様では、回転円板形記録媒体とヘッド・サスペンション・アセンブリとボイス・コイル・モータとを含む構成機器を収納するベースとカバーで密閉したヘッド・ディスク・アセンブリと、ヘッド・ディスク・アセンブリと電気的に接続した回路基板と、ベースにヘッド・ディスク・アセンブリを固定するフレームと、ヘッド・ディスク・アセンブリの密閉状態を維持しながらベースとフレームとを固定する第１の固定手段とを有する回転円板形記憶装置を提供する。
【００１４】
この第３の態様において、ヘッド・ディスク・アセンブリの密閉状態を維持しながらベースに第１の固定手段でフレームに固定することができるので、パーソナルコンピュータなどのホスト・システムに固定するためのフレームを、クリーン・ルームによるヘッド・ディスク・アセンブリの製造工程とは別の工程で組み立てることができる。
【発明の効果】
【００１５】
本発明により、プレス加工で形成したベースを有する磁気ディスク装置、光磁気ディスク装置等の回転円板形記憶装置において、ホスト・システムへの簡易な取り付け構造を提供することができた。さらに本発明により、装置の薄型化を図りフォーム・ファクターを増大させない回転円板形記憶装置を提供することができた。さらに本発明により、騒音の少ない回転円板形記憶装置を提供することができた。
【発明を実施するための最良の形態】
【００１６】
以下、本発明の回転円板形記憶装置における好ましい実施の形態例について、図面を参照して説明する。図１は磁気ディスク装置の構成要素であるベースとフレームの斜視図である。図２は磁気ディスク装置の構成を分解して示す斜視図である。図３は磁気ディスク装置の構成を裏面から見て分解して示す斜視図である。図４は磁気ディスク装置の構成を一部分解して示す図である。図５はＶＣＭのヨーク構造の断面図である。本出願に係る図面の全体に亘って同一の構成要素には同一の参照番号を付すことにする。
【００１７】
本発明の好ましい実施の一形態としての回転円板形記憶装置である磁気ディスク装置は図１、図２、図３に示すように、回転円板形記録媒体である磁気ディスク１、スピンドル・モータ２、アクチュエータ・ヘッド・サスペンション・アセンブリ（以後、明細書中においてＡＨＳＡという。）３及びＦＰＣアセンブリ４（図４参照）がベース５に収納され、これらが収納されたベース５を密閉空間にするためにカバー１１（図４参照）が取り付けられているＨＤＡ６を備えている。また、このＨＤＡ６のベース５には磁気ディスク装置の動作及びデータの読み書きの制御を行なう回路基板７１が装着されたフレーム７が固定されている。
【００１８】
磁気ディスク１は、ベース５に立設されたスピンドル・モータ２のスピンドル軸２１の外周に固定されている。ＡＨＳＡ３は、ヘッド・サスペンション・アセンブリ（以後、明細書中においてＨＳＡという。）３１とアクチュエータ・アセンブリ３２とで構成されている。ＨＳＡ３１の先端部には、磁気ディスク１に対するデータの読み取り及び書き込み又はその何れか一方を行なうためのヘッド３３が設けられている。アクチュエータ・アセンブリ３２は、ＨＳＡ３１を支持するアクチュエータ・アーム（図示せず）、ピボット軸３４の軸受け部分及びＶＣＭ８で構成されている。
【００１９】
ＶＣＭ８は図４、図５に示すように、コイル・サポート８１、コイル・サポート８１に保持されたボイス・コイル８２、ボイス・コイル・マグネット８３及び上ヨーク８４と、後述するフレーム７の一部位に形成された下ヨーク領域７ａとで構成されている。上ヨーク８４は軟磁性を有する鉄鋼である例えばメッキが施された強磁性材料である冷間圧延鋼板（ＳＰＣＣ）で形成されている。この上ヨーク８４の裏面には永久磁石で構成されたボイス・コイル・マグネット８３が配置され接着剤で固定されている。また、ベース５は、ボイス・コイル・マグネット８３の表面に対向する対向面を備えている。ベース５の対向面とボイス・コイル・マグネット８３の表面との間には、ヨーク・ギャップ８５が形成される。なお、接着剤は、ロックタイト社の製品名称ＬＯＣＴＩＴＥ３６６が好適である。
【００２０】
このボイス・コイル・マグネット８３は、空間に接する表面にＮ極とＳ極の２つの磁極を備えて一体に形成され、両磁極は遷移領域で区分されている。また、ボイス・コイル・マグネット８３のフレーム７の下ヨーク領域７ａに近接する裏面には、それぞれ表面とは逆極性の磁極が形成されている。
【００２１】
また、磁気ディスク１の回転を停止させる際、ＨＳＡ３１の先端に設けられたマージ・リップ（図示せず）に摺動面を提供してヘッド３３を退避させる機能を果たすランプ３５が、磁気ディスク１の近傍に設けられている（図４参照）。
【００２２】
ＦＰＣアセンブリ４は、ＨＳＡ３１のヘッド３３からの信号線をフレキシブル・ケーブル４１を経由して半導体装置４２に接続して構成されている。この半導体装置４２は、既存の接続構造でフレーム７に装着された回路基板７１が電気的に接続されている。
【００２３】
このような磁気ディスク１、スピンドル・モータ２、アクチュエータ・ヘッド・サスペンション・アセンブリ３及びＦＰＣアセンブリ４を収納するベース５は、図１、図２、図３に示すように、磁気ディスク１を収納する円形の凹部から成る磁気ディスク収納領域５ａと、ＡＨＳＡ３を収納する凹部から成るＡＨＳＡ収納領域５ｂとから構成され、磁性体である例えばメッキが施された冷間圧延鋼板（ＳＰＣＥ）をプレス加工して形成されている。また、ベース５の上ヨーク８４が配置される周囲には段部５ｃが設けられ、その段部５ｃに上ヨーク８４が固定される。
【００２４】
このベース５に固定されるフレーム７は、例えばメッキ鋼板（ＳＰＣＥ）をプレス加工して形成され、ベース５に固定する固定領域７ａ、７ｂが設けられている。この固定領域７ａ、７ｂは、ベース５にそれぞれ振動減衰材９を介して接合されている。この振動減衰材９としては両面接着テープが好適である。この両面接着テープは、日東電工株式会社の製品名称５７１３が好適である。このベース５とフレーム７とを振動減衰材８を介して接合することにより、ベース５とフレーム７との間に振動減衰材９を挟み込んだサンドイッチ構造のダンピング材として機能させることができるので、制振効果も得ることができる。したがって、騒音を少なくできる。なお、振動減衰材９としては、クロロプレンゴム、ブチルゴムゴムなどの振動減衰性能の優れたゴムや、エチレンビニールアセテート（ＥＶＡ）などの振動減衰性能の優れた高分子材料でもよく、これらを接着剤を使用してベース５及びフレーム７の固定領域７ａ、７ｂに接合させる。
【００２５】
また、フレーム７は、ベース５を当該フレーム７内に収容する形状から構成されている。即ち、フレーム７には、ベース５の磁気ディスク収納領域５ａとＡＨＳＡ収納領域５ｂとを嵌め込むための空間領域７ｃが形成されており、この空間領域７ｃにベース５の磁気ディスク収納領域５ａとＡＨＳＡ収納領域５ｂとを嵌め込むと、フレーム７内にベース５が収容されることになる。したがって、ベース５にフレーム７を接合しても、全体の高さ方向の寸法がベース５のみの高さ方向の寸法とほぼ同じ位になるので、ＨＤＡ６の薄型化を図ることができ、また、この構成により、ＨＤＡ６の剛性機能を向上できる。
【００２６】
また、フレーム７は、パーソナルコンピュータなどのホスト・システム（図示せず）への取付構造を有している。この取付構造としては、図３に示すねじによる締結構造１０や、既存の構造であるホスト・システムのベイに設けられたガイドに嵌合する嵌合ガイド構造（図示せず）などが好適である。ねじによる締結構造１０は、フレーム７の所定位置に雌ねじ穴１０ａを設け、ホスト・システム側にねじを挿入するための穴（図示せず）を設け、このホスト・システム側の穴からねじを挿入しフレーム７の雌ねじ穴１０ａに螺合させるものである。
【００２７】
また、フレーム７は、ベース５に嵌合して位置決めする板ばね構造のアーム７ｄが形成されている。このアーム７ｄは、ベース５の磁気ディスク収納領域５ａの外面を板ばねによる弾性作用で圧接して位置決めができ、また、アースとして機能させることもできる。なお、このアーム７ｄは弾性作用をもっているので、ベース５とフレーム７との間に振動減衰材９を挟み込んだサンドイッチ構造のダンピング材として機能を阻害することはない。
【００２８】
さらに、フレーム７は、振動減衰材９を介してベース５に接合した際に、ＶＣＭ８のボイス・コイルが回動する範囲を投影した領域に当該ＶＣＭ８の磁気回路を構成し下ヨークとして機能するヨーク領域７ａを設けている。このようにフレーム７にヨーク領域７ａを備えたので、ＶＣＭに使用するヨーク構造から専用のヨークを取り去り、ヨーク構造の高さを低くし、薄型化を実現できると共にＶＣＭ自体の製造コストも下げることができる。例えば、ＶＣＭ８は、図５に示す上ヨーク８４の板厚ｔ１を２．５ｍｍ、ボイス・コイル・マグネット８３の板厚ｔ２を２．５ｍｍ、ベース５の板厚ｔ３を１．０ｍｍ、両面接着テープ９の厚さｔ４を０．２ｍｍ、フレーム７の板厚ｔ５を１．６ｍｍ、ヨークギャップ８５の間隔ｔ６を３．５ｍｍにすることができる。このようなＶＣＭ８は、ボイス・コイル・マグネット８３の表面のＮ極からヨーク・ギャップ８５に出た磁束がベース５、フレーム７の下ヨーク領域７ａを通過して裏面のＳ極に入り、裏面のＮ極から出た磁束がフレーム７の下ヨーク領域７ａ、ベース５を通過してヨーク・ギャップ８５から表面のＳ極に入るように磁路が形成される。なお、ベース５とフレーム７の下ヨーク領域７ａとの間に非磁性体の両面接着テープ９が介在しているが、厚さが０．２ｍｍなのでＶＣＭ８の磁路に影響を与えることはない。また、フレーム７はヨーク領域７ａが磁性体ならばどのような構成でもよい。
【００２９】
このようなフレーム７は、ＨＤＡ６とは別部品となりクリーン・ルームで組み立てる必要性がなくなる。これは、クリーン・ルームの中に搬入する磁気ディスクの材料は、あらかじめ超純水で洗浄し粉塵の付着のない清浄な状態にしておく必要があり、また、その材料がクリーン・ルームの中で新たな粉塵を発生するようなことがあってはならないのだが、本発明のフレーム７はＨＤＡ６を密閉するための必須構成要件ではないので、クリーン・ルームで組み立てる必要性がない。したがって、ＨＤＡ６の密閉状態を維持しながら振動減衰材９を介してフレーム７をベース５に接合できるので、このフレーム７は腐食性や清浄度を考慮しなくともよく、亜鉛メッキ鋼板などの廉価の材料を選択でき、また、端部を切りっぱなしにできる。即ち、ベース自体にクリーン・ルームで組み立て可能な材料を選択し、取り付け穴などを設けたフレームに亜鉛メッキ鋼板などの廉価の材料を選択することができるので、取り付け穴などを設けたベースをアルミニウム・ダイカストやクリーン・ルームで組み立て可能な材料でプレス加工したものに比べて製造コストを下げることができる。なお、ここでいう「密閉状態」とは完全な密閉空間を意味するだけではなく、例えばスピンドル起動や温度変化に伴ってＨＤＡ６内外で圧力差が生じたときに外部からの空気が出入りするように呼吸フィルタを設けている場合も含むものである。
【００３０】
また、上述した実施形態においては、ベースとフレームとの固定を振動減衰材である両面接着テープ９を使用していたが、これに限らず、他の固定手段を用いて固定してもよい。例えば、図６に示す凹凸による嵌合構造１００や、図７に示す爪による引っ掛け構造２００や、図８（ａ）に示すたが締め構造３００や、図８（ｂ）に示すかしめ構造４００や、溶接構造（図示せず）を採用することができる。
【００３１】
凹凸による嵌合構造１００は、ベース５とフレーム７とが当接する枠領域に設けられ、例えばベース側に半球状の凸部１０１を形成し、フレーム側に凸部１０１が嵌合可能な穴１０２を形成し、これら凸部１０１、穴１０２を嵌合させることにより、ベース５にフレーム７を固定させることができる。このように構成された凹凸による嵌合構造１００は、ベース５の半球状の凸部１０１にフレーム７の穴１０２を嵌合するだけで、ベース５をフレーム７で挟むように固定すると共に位置決めすることができる。したがって、ベース５にフレーム７を嵌合動作のみで容易に位置決めし、固定することができる。
【００３２】
また、爪による引っ掛け構造２００は、例えばフレーム７の所定の端面に突設するように爪２０１が複数設けられ、この位置に対応するようにベース５の所定の端面に爪２０１を引っ掛けるための凹状の受け部２０２が複数設けられ、フレーム７の爪２０１をベース５の凹状の受け部２０２に引っ掛けることにより、ベース５にフレーム７を固定させることができる。このように構成された爪による引っ掛け構造２００は、ベース５の凹状の受け部２０２にフレーム７の爪２０１を引っ掛けるだけで、フレーム７の爪２０１はベース５の凹状の受け部２０２に噛み合った状態になり簡単には外れなくなる。したがって、ベース５にフレーム７を引っ掛け動作のみで容易に固定し、位置決めすることができる。
【００３３】
また、たが締め構造３００は例えばフレーム７の枠となる所定の端面に対向配置させ、ベース５の枠となる所定部位に圧接させることができる圧接片３０１を設ける。この圧接片３０１は鋼板の弾性力によりたが締め作用をもたせることにより、ベース５にフレーム７を固定させることができる。このように構成されたたが締め構造３００は、フレーム７の圧接片３０１を鋼板の弾性力でベース５の枠となる所定部位を締め固めることができる。したがって、ベース５をフレーム７で締め固めるたが締め動作だけで、ベース５にフレーム７を容易に固定し、位置決めすることができる。
【００３４】
また、かしめ構造４００は、ベース５とフレーム７とが当接する枠領域に設けられ、例えばベース側にボス４０１を形成し、フレーム側にボス４０１を挿入する穴４０２を形成し、ベース５のボス４０１をフレーム７の穴４０２に挿入後、フレーム７の穴４０２から突出しているベース５のボス４０１をかしめることにより、ベース５にフレーム７を固定させることができる。このように構成されたかしめ構造４００は、ベース５にフレーム７を恒久的に固定し、位置決めすることができる。
【００３５】
また、溶接構造は、ベース５とフレーム７とを嵌め合わせた後に所定部位を溶接して、これらを固定する。このように構成された溶接構造は、ベース５にフレーム７を恒久的に固定し、位置決めすることができる。
【００３６】
このように、振動減衰部材でベース５とフレーム７とを接合しない構成の場合は、フレーム７のヨーク領域７ａとベース５とは直接接触することになる。これは、フレーム７のヨーク領域７ａとベース５との間に部材が介在しなくなることを意味し、ＶＣＭ８の磁路を形成するにあたり好ましい磁界状態を提供できる。
【００３７】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【産業上の利用可能性】
【００３８】
アクチュエータ・ヘッド・サスペンション・アセンブリを備えた回転円板形記憶装置全般において利用できる。
【図面の簡単な説明】
【００３９】
【図１】本発明の回転円板形記憶装置による最良な実施の一形態を示す斜視図。
【図２】本発明の回転円板形記憶装置による最良な実施の一形態を示す斜視図。
【図３】本発明の回転円板形記憶装置による最良な実施の一形態を示す斜視図。
【図４】本発明の回転円板形記憶装置の概略を示す斜視図。
【図５】本発明の回転円板形記憶装置の主要構成要素であるＶＣＭを示す断面図。
【図６】本発明の回転円板形記憶装置による他の最良な実施の一形態を示す斜視図。
【図７】本発明の回転円板形記憶装置による他の最良な実施の一形態を示す斜視図。
【図８】本発明の回転円板形記憶装置による他の最良な実施の一形態を示す説明図。
【符号の説明】
【００４０】
１……磁気ディスク
５……ベース
７……フレーム
７ａ……ヨーク領域
７ｄ……板ばね構造
８……ボイス・コイル・モータ
９……両面接着テープ（第１の固定手段）
１０……ねじによる締結構造（第２の固定手段）
３１……ヘッド・サスペンション・アセンブリ（ＨＳＡ）
３３……ヘッド
１００……ねじによる締結構造（第１の固定手段）
２００……凹凸による嵌合構造（第１の固定手段）
３００……爪による引っ掛け構造（第１の固定手段）
４００……たが締め構造（第１の固定手段）
５００……かしめ構造（第１の固定手段）
【図１】
2005228407.tif 000003
【図２】
2005228407.tif 000004
【図３】
2005228407.tif 000005
【図４】
2005228407.tif 000006
【図５】
2005228407.tif 000007
【図６】
2005228407.tif 000008
【図７】
2005228407.tif 000009
【図８】
2005228407.tif 000010